(57)【要約】【課題】複数本の動力伝達軸におけるプーリに巻掛けの動力伝達用無端ベルト１８に対して接触したテンションプーリ１９と，このテンションプーリを回転自在に備えて前記無端ベルトを緊張又は弛緩するように回動するテンションアーム２２と，前記テンションプーリを前記無端ベルトに弾性的に押圧するように付勢するテンションばね２９とから成るテンション装置において，前記無端ベルトの緊張状態を確実に維持できるようにする。【解決手段】前記テンションアーム２２を，回動自在なレバー体２３に，前記テンションばね２９を介して連結し，このレバー体に回転自在に軸支した操作軸３０に，手動操作レバー杆３２を，当該手動操作レバー杆にて前記レバー体を回動するように設け，更に，前記手動操作レバー杆を前記無端ベルトの緊張方向に回動したときこれに設けたストッパー片３３を，係止体３４に，前記手動操作レバー杆における前記無端ベルトの弛緩方向への回動を阻止するように接当する。【選択図】図２
2008256183.tif 000002
【特許請求の範囲】
【請求項１】
複数本の動力伝達軸におけるプーリに巻掛けの動力伝達用無端ベルトに対して接触したテンションプーリと，このテンションプーリを回転自在に備えて前記無端ベルトを緊張又は弛緩するように自在に回動するテンションアームと，前記テンションプーリを前記無端ベルトに弾性的に押圧するように付勢するテンションばねとから成るテンション装置において，
前記テンションアームを，回動自在に構成したレバー体に，当該レバー体の回動にて前記テンションばねを介して前記テンションアームが回動するように連結し，このレバー体に回転自在に軸支した操作軸に，手動操作レバー杆を，当該手動操作レバー杆にて前記レバー体を回動するように設け，更に，前記手動操作レバー杆を前記無端ベルトの緊張方向に回動したときこれに設けたストッパー片が手動操作レバー杆における前記無端ベルトの弛緩方向への回動を阻止するように接当する係止体を備えていることを特徴とする動力伝達用無端ベルトにおけるテンション装置。
【請求項２】
前記請求項１の記載において，前記ストッパー片に，前記係止体が着脱自在に嵌まる係合する凹所を設けることを特徴とする動力伝達用無端ベルトにおけるテンション装置。
【請求項３】
前記請求項１又は２の構成において，前記係止体に，前記ストッパー片が着脱自在に嵌まり係合する凹所を設けることを特徴とする動力伝達用無端ベルトにおけるテンション装置。
【発明の詳細な説明】
【技術分野】
【０００１】
本発明は，少なくとも二本の軸上におけるプーリ間に動力伝達のために巻掛けして成る無端ベルトにおいて，当該無端ベルトを緊張させるためのテンション装置に関するものである。
【背景技術】
【０００２】
従来，この種のテンション装置は，例えば，特許文献１等に記載されているように，少なくとも二つのプーリ間に巻掛けした無端ベルトに，回転自在に枢着したテンションアームの先端に設けたテンションプーリを接触し，このテンションプーリを，テンションばねにて前記無端ベルトに対して弾性的に押圧して無端ベルトを緊張することによって動力伝達ＯＮにする一方，前記テンションアームを前記テンションばねに抗してそのテンションプーリが無端ベルトから離れるように回動して無端ベルトを弛緩することによって，動力伝達ＯＦＦにするとともに無端ベルトを掛け換えができるように構成している。
【０００３】
また，この従来のテンション装置においては，そのテンションアームを回動操作するための操作レバーにおける支点越えによって，前記テンションアームを無端ベルトの緊張状態に保持するように構成している。
【特許文献１】特開平５−１７２２２７号公報
【発明の開示】
【発明が解決しようとする課題】
【０００４】
しかし，前記無端ベルトにおける緊張状態の保持が，操作レバーを回動するときの支点越えによる機構である場合には，前記テンションばねによる緊張が，前記支点越えにより緩んだ状態になっているから，大きな振動及び／又は衝撃等を受けたときに，前記操作レバーが，支点越えとは逆の方向に回動して、無端ベルトの緊張保持が不測に解除されるおそれが大きいという問題があった。
【０００５】
本発明は，この問題を解消したテンション装置を提供することを技術的課題とするものである。
【課題を解決するための手段】
【０００６】
この技術的課題を達成するため請求項１は，
「複数本の動力伝達軸におけるプーリに巻掛けの動力伝達用無端ベルトに対して接触したテンションプーリと，このテンションプーリを回転自在に備えて前記無端ベルトを緊張又は弛緩するように自在に回動するテンションアームと，前記テンションプーリを前記無端ベルトに弾性的に押圧するように付勢するテンションばねとから成るテンション装置において，
前記テンションアームを，回動自在に構成したレバー体に，当該レバー体の回動にて前記テンションばねを介して前記テンションアームが回動するように連結し，このレバー体に回転自在に軸支した操作軸に，手動操作レバー杆を，当該手動操作レバー杆にて前記レバー体を回動するように設け，更に，前記手動操作レバー杆を前記無端ベルトの緊張方向に回動したときこれに設けたストッパー片が手動操作レバー常における前記無端ベルトの弛緩方向への回動を阻止するように接当する係止体を備えている。」
ことを特徴としている。
【０００７】
また，請求項２は，
「前記請求項１の記載において，前記ストッパー片に，前記係止体が着脱自在に嵌まる係合する凹所を設ける。」
ことを特徴としている。
【０００８】
更にまた，請求項３は，
「前記請求項１又は２の構成において，前記係止体に，前記ストッパー片が着脱自在に嵌まり係合する凹所を設ける。 
ことを特徴としている。
【発明の効果】
【０００９】
前記請求項１の記載において，手動操作レバー杆は，操作軸を介してレバー体に連結され，このレバー体は，テンションばねを介してテンションアームに連結されている。
【００１０】
そこで，前記手動操作レバー杆を，当該手動操作レバー杆における前記操作軸を中心とする回動にてそのストッパー片における係止体への接当を解除した状態で，回動操作することにより，前記レバー体が回動し，このレバー体の回動に連動して前記テンションアームが無端ベルトの緊張方向又は弛緩方向に回動するから，前記手動操作レバー杆の回動操作にて，前記無端ベルトを緊張したり，又は弛緩したりすることが自在にできる。
【００１１】
そして，前記手動操作レバー杆を，前記無端ベルトを緊張する位置に回動した状態で，前記操作軸を中心に回動して，この手動操作レバー杆におけるストッパー片を係止体に接当することにより，当該手動操作レバー杆における前記無端ベルトの弛緩方向への回動が阻止されることになるから，前記無端ベルトを緊張した状態に保持できる。
【００１２】
前記無端ベルトを緊張した状態において，前記ストッパー片が係止体に対して接当する部分には，前記無端ベルトを緊張するテンションばねにおけるばね力が，緩むことなく，そのまま作用しているから，前記無端ベルトの緊張保持が不測に解除されることを，従来のように支点越えで行う場合よりも確実に低減できる。
【００１３】
この場合において，請求項２又は３に記載したように，前記ストッパー片に前記係止体が着脱自在に嵌まり係合する凹所を設けるか，或いは，前記係止体に前記ストッパー片が着脱自在に嵌まり係合する凹所を設けることにより，前記ストッパー片が係止体に対して接当する状態を更に確実に保持できるから，前記無端ベルトの緊張保持が不測に解除されることを大幅に低減できる。
【００１４】
特に，請求項３のように，前記ストッパー片に前記係止体が着脱自在に嵌まり係合する凹所を設け，前記係止体に前記ストッパー片が着脱自在に嵌まり係合する凹所を設けることにより，前記無端ベルトの緊張保持が不測に解除されることをより一層大幅に低減できる。
【発明を実施するための最良の形態】
【００１５】
以下，本発明の実施の形態を，自走自脱型コンバインにおける無端ベルト式動力伝達機構に適用した場合の図面について説明する。
【００１６】
図１は，従来から周知の自走自脱型コンバインの側面図を示し，このコンバイン１は，走行クローラ２にて支持された走行機体３に，前方から刈取部４，脱穀部５，揺動式選別部６及び排藁処理部７を備え，図示しないエンジンにて駆動するという構成である。
【００１７】
前記揺動式選別部６には，前記エンジンから無端ベルト８を介して一番穀粒排出軸９に伝達された動力を，この一番穀粒排出軸９から二番穀粒排出軸１０，揺動軸１１及び排藁処理軸１２に伝達するための無端ベルト式動力伝達機構１３を備えている。
【００１８】
この無端ベルト式動力伝達機構１３は，図２〜図６に示すように構成されている。
【００１９】
すなわち，前記一番穀粒排出軸９，二番穀粒排出軸１０，揺動軸１１及び排藁処理軸１２の各々におけるプーリ１４，１５，１６，１７には，動力伝達用の無端ベルト１８が巻掛けされ，この無端ベルト１８のうち前記一番穀粒排出軸９と二番穀粒排出軸１０との間の部位には，テンシヨンプーリ１９が接触している。
【００２０】
このテンションプーリ１９は，前記一番穀粒排出軸９，二番穀粒排出軸１０，揺動軸１１及び排藁処理軸１２を軸支する機枠２０にピン２１にて回動自在に枢着して成るテンションアーム２２の先端に，回転自在に取付けられ，このテンションアーム２２の回動により，前記無端ベルト１８を緊張したり，又は弛緩したりするように構成している。
【００２１】
一方，前記機枠２０には，レバー体２３の基端をピン２４にて回動自在に枢着し，このレバー体２３の先端部には，連結片２５を回転自在に設け，この連結体２５にこれを摺動自在に貫通するように設けた調節用ボルト２６には，前記連結体２５を両側から挟み付けるようにしたナット２７，２８を設け，更に，この調節用ボルト２６と，前記テンションアーム２２との間を，テンションばね２９にて連結することにより，前記レバー体２３のそのピン２４を中心とする回動にて，前記テンションばね２９を介して前記テンションアーム２２を前記無端ベルト１８の緊張方向，又は，弛緩方向に回動するように構成している。
【００２２】
また，前記レバー体２３には，当該レバー体２３の回動中心に向かう半径方向に延びるようにした操作軸３０を，当該レバー体２３に溶接固着したボス体３１にて回転自在に軸支して，この操作軸３０に，前記レバー体２３が回動する平面と平行に延びるようにした手動操作レバー杆３２を固着することにより，この手動操作レバー杆３２の回動にて，前記レバー体２３を前記無端ベルト１８の緊張方向，又は，弛緩方向に回動するように構成している。
【００２３】
更にまた，前記手動操作レバー杆３２には，前記機枠２０側に突出するピン型のストッパー片３３を固着する一方，前記機枠２０側には，前記手動操作レバー杆３２におけるストッパー片３３が接当する係止体３４を取付けることにより，前記手動操作レバー杆３２を前記無端ベルト１８を緊張する位置まで回動したときに，当該手動操作レバー杆３２における前記操作軸３０を中心とする回動にて，そのストッパー片３３を前記係止体３４に接当することにより，前記手動操作レバー杆３２における前記無端ベルト１８の弛緩方向への回動を阻止するように構成している。
【００２４】
前記ストッパー片３３には，例えばその先端を大径にすること等により前記係止体３４が嵌まる凹所３３a が設けられ，また，前記係止体３４には，前記ストッパー片３３が嵌まる凹所３４a が設けられている。前記ストッパー片３３における凹所３３a は，当該ストッパー片３３の先端を大径にすることで設けるという構成にしているが，これに代えて，前記ストッパー片３３のうち前記係止体３４に接当する部分を単純に凹ませる構成にしても良いことはいうまでもない。
【００２５】
なお，図１，図３及び図７において，符号３５は，前記無端ベルト式動力伝達機構１３に対する着脱自在なカバーを示す。
【００２６】
このカバー３５は，前記機枠２０側に取り付けた棒状体３６に，当該カバー３５に設けたコ字状のばね体３７を着脱自在に被嵌することによって，機枠２０に対して着脱自在に取付けられており，前記棒状体３６は，その前記動力伝達機構１３側の一端を内向きに折り曲げることによって，前記無端ベルト１８の巻掛けに際して，前記に棒状体３６の内側に前記無端ベルト１８が入ることを阻止するように構成している。
【００２７】
この構成において，手動操作レバー杆３２は，操作軸３０を介してレバー体２３に連結され，このレバー体２３は，テンションばね２９を介してテンションアーム２２に連結されている。
【００２８】
そこで，前記手動操作レバー杆３２を，前記テンションばね２９を抗して一旦上向きに少し回動したのち，当該手動操作レバー杆３２における前記操作軸３０を中心として図３，図４及び図６に鎖線で示すように外向き回動することでそのストッパー片３３における係止体３４への接当を解除した状態で，上下方向に回動操作することにより，前記レバー体２３が回動し，このレバー体２３の回動に連動して前記テンションアーム２２が無端ベルト１８の緊張方向又は弛緩方向に回動するから，前記手動操作レバー杆３２における上下方向への回動操作にて，前記無端ベルト１８を緊張したり，又は弛緩したりすることが自在にできる。
【００２９】
そして，前記手動操作レバー杆３２を，前記無端ベルト１８を緊張する位置に回動した状態で，前記操作軸３０を中心に内向きに回動して，この手動操作レバー杆３２におけるストッパー片３３を係止体３４に接当することにより，当該手動操作レバー杆３２における前記無端ベルト１８の弛緩方向への回動が阻止されることになるから，前記無端ベル卜１８を緊張した状態に確実に保持できる。
【００３０】
この場合，前記実施の形態は，前記ストッパー片３３に前記係合体３４が嵌まる凹所３３a を設けて，前記手動操作レバー杆３２における不測の外向き回動を阻止することにより，前記ストッパー片３３における前記係合体３４への接当が不測に外れることがないように構成している。
【００３１】
また，前記実施の形態は，前記係合体３４にストッパー片３３が嵌まる凹所３４a を設けて，前記レバー体２３における不測の外向き回動を阻止することにより，前記ストッパー片３３における前記係合体３４への接当が不測に外れることがないように構成している。
【００３２】
つまり，前記実施の形態においては，前記手動操作レバー杆３２を前記テンションばね２９を抗して一旦上向きに少し回動したのち外向きに回動した場合に限り，前記ストッパー片３３における前記係合体３４への接当が外れるように構成しており，これにより，前記無端ベルト１８を緊張状態に保持することがより確実に達成できる。
【００３３】
なお，前記無端ベルト１８における張力は，前記テンションばね２９に対する調節用ボルト２６を，これが貫通する連結体２５を両側から挟み付けるナット２７，２８にて軸線方向に移動することで任意に調節できる。
【図面の簡単な説明】
【００３４】
【図１】自走自脱型コンバインを示す側面図である。
【図２】本発明の実施の形態による無端ベルト式動力伝達機構を示す図である。
【図３】図２のIII −III 視断面図である。
【図４】図２のIV−IV視拡大断面図である。
【図５】図４のV −V 視断面図である。
【図６】図４のVI−VI視断面図である。
【図７】図２のVII −VII 視拡大断面図である。
【符号の説明】
【００３５】
１                      自走自脱型コンバイン
１３                    無端ベルト式動力伝達機構
１４，１５，１６，１７  プーリ
１８                    無端ベル卜
１９                    テンションプーリ
２０                    機枠
２２                    テンションアーム
２３                    レバー体
２６                    調節用ボルト
２９                    テンションばね
３０                    操作軸
３２                    手動操作レバー杆
３３                    ストッパー片
３４                    係止体
【図１】
2008256183.tif 000003
【図２】
2008256183.tif 000004
【図３】
2008256183.tif 000005
【図４】
2008256183.tif 000006
【図５】
2008256183.tif 000007
【図６】
2008256183.tif 000008
【図７】
2008256183.tif 000009